(57)【要約】【課題】従来、贈呈先に喜ばれる商品やサービスを贈呈できるカタログを構成できなかった。【解決手段】ユーザ識別子とユーザ情報とを有する１以上のユーザ管理情報を格納し得るユーザ管理情報格納部と、商品に関する情報であり、商品の金額を含む属性情報を有する２以上のカタログ部品情報を格納し得るカタログ部品情報格納部２と、予算金額と贈呈先のユーザのユーザ識別子とを有する贈答指示を端末装置から受信する受信部と、贈答指示に含まれる予算金額に対応する商品であり、贈答指示に含まれるユーザ識別子と対になるユーザ情報に合致する属性情報を含む１以上のカタログ部品情報を用いてカタログ情報を構成するカタログ情報構成部と、カタログ情報を出力する出力部とを具備するカタログ出力装置により、贈呈先に喜ばれる可能性が高い商品やサービスを贈呈できるカタログを、贈呈先ごとに構成できる。【選択図】図１
2015118496.tif 000002
【特許請求の範囲】
【請求項１】
ユーザを識別するユーザ識別子と当該ユーザに関するユーザ情報とを有する１以上のユーザ管理情報を格納し得るユーザ管理情報格納部と、
商品またはサービスに関する情報であり、商品またはサービスの金額を含む属性情報を有する２以上のカタログ部品情報を格納し得るカタログ部品情報格納部と、
予算金額と贈呈先のユーザを識別するユーザ識別子とを有する贈答指示を端末装置から受信する受信部と、
前記贈答指示に含まれる予算金額に対応する商品またはサービスであり、前記贈答指示に含まれるユーザ識別子と対になるユーザ情報に合致する属性情報を含む１以上のカタログ部品情報の全部または一部を用いてカタログ情報を構成するカタログ情報構成部と、
前記カタログ情報を出力する出力部とを具備するカタログ出力装置。
【請求項２】
前記ユーザ情報は、
ユーザの行動に関する情報である行動履歴情報を含む請求項１記載のカタログ出力装置。
【請求項３】
前記行動履歴情報は、
クレジットカードを用いてユーザが購入した商品またはサービスに関する購入履歴情報である請求項２記載のカタログ出力装置。
【請求項４】
前記行動履歴情報は、
ユーザが見た商品に関する情報である閲覧商品情報である請求項２記載のカタログ出力装置。
【請求項５】
前記閲覧商品情報は、
ユーザが商品を見た位置を示す位置情報を含む請求項４記載のカタログ出力装置。
【請求項６】
前記閲覧商品情報は、
ユーザが凝視した商品に関する情報である凝視商品情報、およびユーザが凝視しなかった商品に関する情報である非凝視商品情報を含む請求項４または請求項５記載のカタログ出力装置。
【請求項７】
前記閲覧商品情報は、
ユーザと商品との物理的な位置関係を示す情報であるユーザ商品関係情報を含む請求項４から請求項６いずれか一項に記載のカタログ出力装置。
【請求項８】
前記閲覧商品情報は、
ユーザが商品を見ている間のユーザの生体情報を含む請求項４から請求項７いずれか一項に記載のカタログ出力装置。
【請求項９】
前記閲覧商品情報は、
ユーザが商品を見ている間のユーザの表面の動きに関する情報である表情情報を含む請求項４から請求項８いずれか一項に記載のカタログ出力装置。
【請求項１０】
前記カタログ部品情報格納部は、
２以上の贈呈先へのカタログ情報に共通に付加する１以上のカタログ部品情報である共通カタログ部品情報をも含み、
前記カタログ情報構成部は、
前記贈答指示に含まれる予算金額に対応する商品またはサービスであり、前記贈答指示に含まれるユーザ識別子と対になる属性情報に合致する１以上のカタログ部品情報を取得し、当該取得した１以上のカタログ部品情報と前記共通カタログ部品情報とを有するカタログ情報を構成する請求項１から請求項９いずれか一項に記載のカタログ出力装置。
【請求項１１】
記録媒体は、
ユーザを識別するユーザ識別子と当該ユーザに関するユーザ情報とを有する１以上のユーザ管理情報を格納し得るユーザ管理情報格納部と、
商品またはサービスに関する情報であり、商品またはサービスの金額を含む属性情報を有する２以上のカタログ部品情報を格納し得るカタログ部品情報格納部とを含み、
受信部、カタログ情報構成部、および出力部により実現され得るカタログ出力方法であって、
前記受信部が、予算金額と贈呈先のユーザを識別するユーザ識別子とを有する贈答指示を端末装置から受信する受信ステップと、
前記カタログ情報構成部が、前記贈答指示に含まれる予算金額に対応する商品またはサービスであり、前記贈答指示に含まれるユーザ識別子と対になるユーザ情報に合致する属性情報を含む１以上のカタログ部品情報の全部または一部を用いてカタログ情報を構成するカタログ情報構成ステップと、
前記出力部が、前記カタログ情報を出力する出力ステップとを具備するカタログ出力方法。
【請求項１２】
コンピュータがアクセス可能な記録媒体は、
ユーザを識別するユーザ識別子と当該ユーザに関するユーザ情報とを有する１以上のユーザ管理情報を格納し得るユーザ管理情報格納部と、
商品またはサービスに関する情報であり、商品またはサービスの金額を含む属性情報を有する２以上のカタログ部品情報を格納し得るカタログ部品情報格納部とを含み、
コンピュータを、
予算金額と贈呈先のユーザを識別するユーザ識別子とを有する贈答指示を端末装置から受信する受信部と、
前記贈答指示に含まれる予算金額に対応する商品またはサービスであり、前記贈答指示に含まれるユーザ識別子と対になるユーザ情報に合致する属性情報を含む１以上のカタログ部品情報の全部または一部を用いてカタログ情報を構成するカタログ情報構成部と、
前記カタログ情報を出力する出力部として機能させるためのプログラム。
【発明の詳細な説明】
【技術分野】
【０００１】
本発明は、商品やサービスを贈答するカタログを出力するカタログ出力装置等に関するものである。
【背景技術】
【０００２】
従来、贈り主の思いを贈り先に確実に伝えることにより贈り物としての価値を高めることができる電子カタログギフト作成方法に関する技術があった（例えば、特許文献１参照）。
【０００３】
また、ヘッドマウントディスプレイ方式の拡張現実ウェアラブルコンピュータがあった（例えば、非特許文献１参照）。
【先行技術文献】
【特許文献】
【０００４】
【特許文献１】特開２００７−１１５２４号公報（第１頁、第１図等）
【非特許文献】
【０００５】
【非特許文献１】ウィキペディア、"Google Glass"、［平成２５年１１月１４日検索］、インターネット［URL：http://ja.wikipedia.org/wiki/Google_Glass］
【発明の概要】
【発明が解決しようとする課題】
【０００６】
しかしながら、従来の技術においては、贈呈先に喜ばれる商品やサービスを贈呈できるカタログを、贈呈先ごとに構成できなかった。
【課題を解決するための手段】
【０００７】
本第一の発明のカタログ出力装置は、ユーザを識別するユーザ識別子とユーザに関するユーザ情報とを有する１以上のユーザ管理情報を格納し得るユーザ管理情報格納部と、商品またはサービスに関する情報であり、商品またはサービスの金額を含む属性情報を有する２以上のカタログ部品情報を格納し得るカタログ部品情報格納部と、予算金額と贈呈先のユーザを識別するユーザ識別子とを有する贈答指示を端末装置から受信する受信部と、贈答指示に含まれる予算金額に対応する商品またはサービスであり、贈答指示に含まれるユーザ識別子と対になるユーザ情報に合致する属性情報を含む１以上のカタログ部品情報の全部または一部を用いてカタログ情報を構成するカタログ情報構成部と、カタログ情報を出力する出力部とを具備するカタログ出力装置である。
【０００８】
かかる構成により、贈呈先の情報を用いて、その贈呈先に喜ばれる可能性が高い商品やサービスを贈呈できるカタログを、贈呈先ごとに構成できる。
【０００９】
また、本第二の発明のカタログ出力装置は、第一の発明に対して、ユーザ情報は、ユーザの行動に関する情報である行動履歴情報を含むカタログ出力装置である。
【００１０】
かかる構成により、贈呈先の行動に関する情報を用いて、贈呈先に喜ばれる可能性が高い商品やサービスを贈呈できるカタログを、贈呈先ごとに構成できる。
【００１１】
また、本第三の発明のカタログ出力装置は、第二の発明に対して、行動履歴情報は、クレジットカードを用いてユーザが購入した商品またはサービスに関する購入履歴情報であるカタログ出力装置である。
【００１２】
かかる構成により、贈呈先のクレジットカードの購入履歴の情報を用いて、贈呈先に喜ばれる可能性が高い商品やサービスを贈呈できるカタログを、贈呈先ごとに構成できる。
【００１３】
また、本第四の発明のカタログ出力装置は、第二の発明に対して、行動履歴情報は、ユーザが見た商品に関する情報である閲覧商品情報であるカタログ出力装置である。
【００１４】
かかる構成により、贈呈先の商品を閲覧した際の情報を用いて、贈呈先に喜ばれる可能性が高い商品やサービスを贈呈できるカタログを、贈呈先ごとに構成できる。
【００１５】
また、本第五の発明のカタログ出力装置は、第四の発明に対して、閲覧商品情報は、ユーザが商品を見た位置を示す位置情報を含むカタログ出力装置である。
【００１６】
かかる構成により、贈呈先のユーザが商品を閲覧した際の位置情報を用いて、贈呈先に喜ばれる可能性が高い商品やサービスを贈呈できるカタログを、贈呈先ごとに構成できる。
【００１７】
また、本第六の発明のカタログ出力装置は、第四または第五の発明に対して、閲覧商品情報は、ユーザが凝視した商品に関する情報である凝視商品情報、およびユーザが凝視しなかった商品に関する情報である非凝視商品情報を含むカタログ出力装置である。
【００１８】
かかる構成により、贈呈先のユーザが商品を凝視した際の情報と凝視しなかった際の情報とを用いて、贈呈先に喜ばれる可能性が高い商品やサービスを贈呈できるカタログを、贈呈先ごとに構成できる。
【００１９】
また、本第七の発明のカタログ出力装置は、第四から第六いずれかの発明に対して、閲覧商品情報は、ユーザと商品との物理的な位置関係を示す情報であるユーザ商品関係情報を含むカタログ出力装置である。
【００２０】
かかる構成により、贈呈先と閲覧した商品との位置的な関係を用いて、贈呈先に喜ばれる可能性が高い商品やサービスを贈呈できるカタログを、贈呈先ごとに構成できる。
【００２１】
また、本第八の発明のカタログ出力装置は、第四から第七いずれかの発明に対して、閲覧商品情報は、ユーザが商品を見ている間のユーザの生体情報を含むカタログ出力装置である。
【００２２】
かかる構成により、贈呈先が商品を閲覧した際の生体情報を用いて、贈呈先に喜ばれる可能性が高い商品やサービスを贈呈できるカタログを、贈呈先ごとに構成できる。
【００２３】
また、本第九の発明のカタログ出力装置は、第四から第八いずれかの発明に対して、閲覧商品情報は、ユーザが商品を見ている間のユーザの表面の動きに関する情報である表情情報を含むカタログ出力装置である。
【００２４】
かかる構成により、贈呈先が商品を閲覧した際の表情情報を用いて、贈呈先に喜ばれる可能性が高い商品やサービスを贈呈できるカタログを、贈呈先ごとに構成できる。
【００２５】
また、本第十の発明のカタログ出力装置は、第一から第九いずれかの発明に対して、カタログ部品情報格納部は、２以上の贈呈先へのカタログ情報に共通に付加する１以上のカタログ部品情報である共通カタログ部品情報をも含み、カタログ情報構成部は、贈答指示に含まれる予算金額に対応する商品またはサービスであり、贈答指示に含まれるユーザ識別子と対になる属性情報に合致する１以上のカタログ部品情報を取得し、取得した１以上のカタログ部品情報と共通カタログ部品情報とを有するカタログ情報を構成するカタログ出力装置である。
【００２６】
かかる構成により、贈呈先の情報を用いて、その贈呈先に喜ばれる可能性が高い商品やサービスを選択しやすいカタログを、贈呈先ごとに構成できる。
【発明の効果】
【００２７】
本発明によるカタログ出力装置によれば、贈呈先に喜ばれる可能性が高い商品やサービスを贈呈できるカタログを、贈呈先ごとに構成できる。
【図面の簡単な説明】
【００２８】
【図１】実施の形態１におけるカタログシステム１の概念図
【図２】同カタログシステム１のブロック図
【図３】同カタログ出力装置１１の動作について説明するフローチャート
【図４】同商品等選択処理について説明するフローチャート
【図５】同ユーザ管理表を示す図
【図６】同カタログ部品管理表を示す図
【図７】同入力画面例を示す図
【図８】同電子メールの例を示す図
【図９】同出力例を示す図
【図１０】実施の形態２におけるカタログシステム２のブロック図
【図１１】同カタログ出力装置２１の動作について説明するフローチャート
【図１２】同商品等選択処理について説明するフローチャート
【図１３】同ユーザ管理表の一部を示す図
【図１４】同ユーザ管理表の一部を示す図
【図１５】同カタログ部品管理表を示す図
【図１６】上記実施の形態におけるコンピュータシステムの概観図
【図１７】同コンピュータシステムのブロック図
【発明を実施するための形態】
【００２９】
以下、カタログ出力装置等の実施形態について図面を参照して説明する。なお、実施の形態において同じ符号を付した構成要素は同様の動作を行うので、再度の説明を省略する場合がある。
【００３０】
（実施の形態１）
本実施の形態において、贈答先のユーザの指定および予算金額を受け付け、当該ユーザに関する情報であるユーザ情報を用いて、当該ユーザ向けであり予算金額に対応する商品等の情報からカタログを構成し、出力するカタログシステムについて説明する。なお、ユーザ情報とは、例えば、ユーザの行動履歴を示す情報、ユーザ属性（性別、年齢等）である。また、ユーザの行動履歴を示す情報とは、例えば、ユーザのクレジットカードでの購入履歴を示す情報である。
【００３１】
図１は、本実施の形態におけるカタログシステム１の概念図である。カタログシステム１は、カタログ出力装置１１、１または２以上の第一端末１２、１または２以上の第二端末１３、および購入履歴管理サーバ１４を備える。ここでカタログ出力装置１１は、カタログ情報を出力する装置である。第一端末１２は、商品またはサービスを贈答する側の端末装置である。第二端末１３は、商品またはサービスを贈答される側の端末装置である。購入履歴管理サーバ１４は、クレジットカードでのユーザの購買履歴の情報を格納しているサーバ装置である。なお、第一端末１２と第二端末１３は、例えば、いわゆるパソコン、スマートフォン、タブレット端末、または携帯電話等である。
【００３２】
図２は、本実施の形態におけるカタログシステム１のブロック図である。
【００３３】
カタログシステム１を構成するカタログ出力装置１１は、ユーザ管理情報格納部１１１、カタログ部品情報格納部１１２、受信部１１３、カタログ情報構成部１１４、出力部１１５、購入履歴情報取得部１１６、および購入履歴情報蓄積部１１７を備える。
【００３４】
カタログ情報構成部１１４は、カタログ部品情報選択手段１１４１、およびカタログ情報構成手段１１４２を備える。
【００３５】
第一端末１２は、第一受付部１２１、第一送信部１２２、第一受信部１２３、および第一出力部１２４を備える。
【００３６】
第二端末１３は、第二受付部１３１、第二送信部１３２、第二受信部１３３、および第二出力部１３４を備える。
【００３７】
購入履歴管理サーバ１４は、購入履歴情報格納部１４１、購入履歴送信指示受付部１４２、および購入履歴情報送信部１４３を備える。
【００３８】
カタログ出力装置１１を構成するユーザ管理情報格納部１１１は、１以上のユーザ管理情報を格納し得る。ユーザ管理情報は、ユーザを識別するユーザ識別子とユーザ情報とを有する。ユーザ識別子は、例えば、ユーザＩＤ、メールアドレス、携帯電話の電話番号、クレジットカード番号、またはＩＰアドレス等である。また、ユーザ情報とは、ユーザに関する情報である。ユーザ情報は、例えば、後述する行動履歴情報、ユーザの属性であるユーザ属性（性別、年齢等）である。また、ユーザ管理情報は、ユーザにカタログ情報を通知するための通知先情報を有しても良い。通知先情報は、例えば、メールアドレス、ＩＰアドレス等である。また、行動履歴情報は、ユーザの行動に関する情報であり、例えば、購入履歴情報である。購入履歴情報は、クレジットカードを用いてユーザが購入した商品またはサービスに関する情報である。購入履歴情報は、例えば、クレジットカード番号、商品名、金額、利用店舗名、利用日等を含む。
【００３９】
カタログ部品情報格納部１１２は、２以上のカタログ部品情報を格納し得る。カタログ部品情報は、商品またはサービスに関する情報であり、商品またはサービスの金額を含む１または２以上の属性情報を有する。また、カタログ部品情報とは、カタログ情報を構成する情報であり、例えば、商品名、商品の写真等を含む。また、属性情報とは、商品またはサービスの属性の情報であり、例えば、商品またはサービスの種類、商品またはサービスの特徴を示す情報、商品またはサービスの対象者を示す情報（例えば、男性用、女性用、６０歳以上向け等）、金額、販売元、贈呈品の郵送日などである。なお、贈呈品とは、例えば、お歳暮やお中元等の商品またはサービス、誕生日のプレゼントの商品またはサービス、結婚祝いの商品またはサービス、引き出物の商品またはサービス等である。
【００４０】
カタログ部品情報格納部１１２は、共通カタログ部品情報をも格納していることは好適である。共通カタログ部品情報とは、２以上の贈呈先へのカタログ情報に共通に付加する１以上のカタログ部品情報である。
【００４１】
受信部１１３は、贈答指示を端末装置から受信する。端末装置は、贈呈元の端末装置であり、ここでは第一端末１２である。また、贈答指示とは、商品またはサービスを贈呈することを示す指示である。贈答指示は、予算金額と贈呈先のユーザを識別するユーザ識別子とを有する。このユーザ識別子は、贈呈先のユーザを識別する情報であり、例えば、ユーザの氏名、ユーザＩＤ、ユーザのメールアドレス等である。なお、贈答指示は、贈答元のユーザのユーザ識別子を有しても良い。また、贈答指示は、贈呈元と贈呈先との関係を示す情報である人間関係情報（例えば、友達、先輩、後輩、親類、恩師等）を有しても良い。なお、贈答指示が人間関係情報を有する場合、贈答指示は予算金額を含まなくても良い。つまり、人間関係情報は、予算金額に含まれる概念である、と考えることができる。かかる場合、人間関係情報に対応する相場（後述する価格情報）が管理されている、とする。
【００４２】
カタログ情報構成部１１４は、予算金額に対応する商品またはサービスであり、ユーザ識別子と対になるユーザ情報に合致する属性情報を含む１以上のカタログ部品情報の全部または一部を用いてカタログ情報を構成する。
なお、カタログ情報構成部１１４が構成するカタログ情報は、ユーザ情報に合致する属性情報を含まないカタログ部品情報の全部または一部が含まれていても良い。つまり、例えば、カタログ情報構成部１１４は、カタログ部品情報格納部１１２に格納されている２以上のカタログ部品情報の全部または一部を用いてカタログ情報を構成しても良い。かかる場合、カタログ情報構成部１１４は、ユーザ情報に合致する属性情報を含む１以上の各カタログ部品情報に対して、ユーザ情報に合致する旨である合致情報を付加しても良い。合致情報は、例えば、「お勧め」「目玉」などの文字列でも良いし、ユーザ情報に含まれる氏名や名前を含む情報（例えば、「○○さん向け商品」）などでも良い。
また、カタログ情報構成部１１４は、人間関係情報を用いて、１以上のカタログ部品情報を選択し、当該選択した１以上のカタログ部品情報の全部または一部を用いてカタログ情報を構成しても良い。カタログ情報構成部１１４は、例えば、人間関係情報に対応する価格情報を満たす価格のカタログ部品情報から、１以上のカタログ部品情報を選択しても良い。かかる場合、カタログ情報構成部１１４は、予算金額を使用しなくても良い。また、予算金額は、人間関係情報に対応する価格情報と考えても良い。なお、かかる場合、カタログ情報構成部１１４は、人間関係情報と、価格または価格の範囲を示す価格情報との組を１組以上保持している。
また、カタログ情報構成部１１４は、ユーザ識別子と対になるユーザ情報と人間関係情報とを用いて、１以上のカタログ部品情報を選択し、当該選択した１以上のカタログ部品情報の全部または一部を用いてカタログ情報を構成しても良い。
【００４３】
また、カタログ情報構成部１１４は、予算金額に対応する商品またはサービスであり、ユーザ識別子と対になる属性情報に合致する１以上のカタログ部品情報を取得し、取得した１以上のカタログ部品情報と共通カタログ部品情報とを有するカタログ情報を構成しても良い。
【００４４】
また、カタログ情報構成部１１４は、予算金額に対応する商品またはサービスであり、ユーザ識別子と対になる属性情報に合致する１以上のカタログ部品情報が、他のカタログ部品情報と比較して、ユーザにより選択されやすい位置に配置されたカタログ情報を構成しても良い。
【００４５】
上記の予算金額は、受信部１１３が受信した贈答指示に含まれる予算金額である。また、上記のユーザ識別子は、受信部１１３が受信した贈答指示に含まれるユーザ識別子である。
【００４６】
また、予算金額に対応する商品またはサービスとは、通常、予算金額と一致する商品またはサービスであるが、予算金額以内の金額の商品またはサービスでも良いし、予算金額と比較して閾値以内の差の金額の商品またはサービス等でも良い。
【００４７】
また、上記のカタログ部品情報の一部とは、例えば、カタログ部品情報が有する商品名、写真等だけである。
【００４８】
カタログ情報構成部１１４を構成するカタログ部品情報選択手段１１４１は、受信部１１３が受信した贈答指示に含まれる予算金額に対応し、かつ受信部１１３が受信した贈答指示に含まれるユーザ識別子と対になるユーザ情報に合致する属性情報に対応する１以上の商品またはサービスを、カタログ部品情報格納部１１２に格納されている２以上のカタログ部品情報に対応する商品またはサービスから選択する。なお、商品またはサービスの選択とは、商品またはサービスのカタログ部品情報の取得、当該カタログ部品情報のＩＤの取得等であり、選択した商品またはサービスを特定する処理であれば何でも良い。
【００４９】
カタログ部品情報選択手段１１４１は、例えば、ユーザ情報に含まれる１以上の購入履歴情報を取得し、当該１以上の購入履歴情報からユーザが好む商品またはサービスに関する情報を取得する。商品またはサービスに関する情報とは、例えば、商品またはサービスの属性情報である。また、かかる商品またはサービスに関する情報を嗜好情報ということとする。例えば、カタログ部品情報選択手段１１４１は、最近の予め決められた期間以内（例えば、１年間以内）にユーザが閾値回数以上（例えば、５回以上）購入している商品の種類（例えば、赤ワイン、ハム等）の情報を嗜好情報として取得する。例えば、カタログ部品情報選択手段１１４１は、最近の予め決められた期間の間（例えば、ここ半年間）にユーザが閾値より多くの金額を使っているメーカーや店舗等の情報を嗜好情報として取得する。嗜好情報を取得するのは、ユーザの嗜好に合致する商品等を贈呈するためである。そして、カタログ部品情報選択手段１１４１は、嗜好情報を用いて、嗜好情報に対応する商品またはサービスを選択しても良い。
【００５０】
また、カタログ部品情報選択手段１１４１は、例えば、１以上の購入履歴情報を用いて、贈呈品から除外すべき商品またはサービスに関する情報を取得する。かかる情報を除外情報ということとする。例えば、カタログ部品情報選択手段１１４１は、最近の予め決められた期間以内（例えば、３か月以内）にユーザが購入した商品または商品の種類を除外情報として取得する。除外情報を取得するのは、ユーザの購入した商品と贈呈品とが重複しないようにするためである。そして、カタログ部品情報選択手段１１４１は、除外情報を用いて、除外情報に対応する商品またはサービスを選択しないことは好適である。
【００５１】
なお、カタログ部品情報選択手段１１４１は、１以上の購入履歴情報をどのように用いて、１以上の商品またはサービスを選択しても良い。
【００５２】
カタログ情報構成手段１１４２は、カタログ部品情報選択手段１１４１が選択した１以上の商品またはサービスのカタログ部品情報の全部または一部をカタログ部品情報格納部１１２から取得し、当該取得した１以上のカタログ部品情報の全部または一部を用いて、カタログ情報を構成する。カタログ情報構成手段１１４２は、１以上のカタログ部品情報の全部または一部を用いて、どのようにカタログ情報を構成しても良い。カタログ情報構成手段１１４２は、例えば、１以上のカタログ部品情報の全部または一部を結合し、カタログ情報を構成しても良い。また、カタログ情報構成手段１１４２は、例えば、取得したカタログ部品情報の中から、商品またはサービスのジャンルごとにカタログ部品情報をまとめて、カタログ情報を構成しても良い。また、カタログ情報構成手段１１４２は、例えば、１ページの予め決められた数の商品またはサービスのカタログ部品情報が含まれるようにページを構成し、電子書籍の形態を有するカタログ情報を構成する等しても良い。
【００５３】
出力部１１５は、カタログ情報構成部１１４が構成したカタログ情報を出力する。ここで、出力とは、通常、カタログ情報の贈呈先の端末装置への送信、カタログ情報を用いたカタログの印刷等である。ただし、出力は、ディスプレイへの表示、プロジェクターを用いた投影、記録媒体への蓄積、他の処理装置や他のプログラムなどへの処理結果の引渡しなどを含む概念である。なお、贈呈先の端末装置とは、ここでは第二端末１３である。
また、出力部１１５は、贈呈元の端末にカタログ情報を出力しても良い。前述した、ユーザ情報に合致する旨である合致情報が付加されていれば、贈呈元は、「この商品は○○さんに送ろう。この商品は××さんに送ろう。」と判断しながら、贈呈先の喜ぶ顔を思い浮かべながら、効率的に商品選択できる。
【００５４】
また、出力部１１５がカタログ情報を出力するタイミングは問わない。カタログ情報構成部１１４がカタログ情報を構成した後に直ちにカタログ情報を出力しても良いし、第二端末１３のユーザまたは第一端末１２のユーザ等の指示によりカタログ情報を出力しても良い。
【００５５】
購入履歴情報取得部１１６は、購入履歴情報を購入履歴管理サーバ１４から取得する。ここで、取得とは、通常、受信である。なお、購入履歴情報取得部１１６が購入履歴情報を取得するタイミングや方法は問わない。購入履歴情報取得部１１６は、受信部１１３が贈呈指示を受信するごとに購入履歴情報を取得しても良いし、定期的に購入履歴情報を購入履歴管理サーバ１４から取得するなどしても良い。
【００５６】
購入履歴情報蓄積部１１７は、購入履歴情報取得部１１６が取得した購入履歴情報をユーザ管理情報格納部１１１に蓄積する。この購入履歴情報は、ユーザ情報を構成する情報となる。
【００５７】
第一端末１２を構成する第一受付部１２１は、贈答指示を受け付ける。贈答指示は、予算金額と、贈呈先を識別するユーザ識別子とを有する。贈答指示の入力手段は、キーボードやマウスやタッチパネルやメニュー画面によるもの等、何でも良い。第一受付部１２１は、キーボード等の入力手段のデバイスドライバーや、メニュー画面の制御ソフトウェア等で実現され得る。
【００５８】
第一送信部１２２は、第一受付部１２１が受け付けた贈答指示をカタログ出力装置１１に送信する。
【００５９】
第一受信部１２３は、カタログ出力装置１１から情報を受信する。かかる情報は、例えば、贈答指示の送信に対する処理結果である。なお、処理結果とは、例えば、贈答指示が有するユーザ識別子で識別されるユーザに、カタログを送信した旨の情報である。また、第一受信部１２３は、贈呈先のユーザが選択した商品またはサービスに関する情報を受信しても良い。
【００６０】
第一出力部１２４は、第一受信部１２３が受信した情報を出力する。
【００６１】
第二端末１３を構成する第二受付部１３１は、ユーザから情報や指示を受け付ける。ここで、情報や指示とは、例えば、カタログ情報を出力する指示、カタログ情報の中のカタログ部品情報の全部または一部が示す商品またはサービスを選択する指示、ユーザの住所等の情報等である。
【００６２】
ここで、第二受付部１３１が受け付ける情報や指示の入力手段は、キーボードやマウスやタッチパネルやメニュー画面によるもの等、何でも良い。第二受付部１３１は、キーボード等の入力手段のデバイスドライバーや、メニュー画面の制御ソフトウェア等で実現され得る。
【００６３】
第二送信部１３２は、第二受付部１３１が受け付けた情報や指示を送信する。情報や指示の送信先は、例えば、カタログ出力装置１１や他の装置である。他の装置とは、例えば、ギフトの発送処理を行うためのサーバ装置である。発送処理は、例えば、ギフトの対象の商品またはサービスの情報、および贈呈先の情報（氏名、住所等）を印刷する処理等である。
【００６４】
第二受信部１３３は、情報を受信する。情報とは、例えば、情報や指示の送信に対する処理結果である。この処理結果とは、商品やサービスの選択を受け付けた旨の情報等である。
【００６５】
第二出力部１３４は、第二受信部１３３が受信した情報を出力する。
【００６６】
購入履歴管理サーバ１４を構成する購入履歴情報格納部１４１は、１以上の購入履歴情報を格納し得る。
【００６７】
購入履歴送信指示受付部１４２は、カタログ出力装置１１またはユーザから、購入履歴情報の送信指示を受け付ける。ここでの受け付けとは、受信またはユーザからの受け付けである。
【００６８】
購入履歴情報送信部１４３は、購入履歴送信指示受付部１４２が購入履歴情報の送信指示を受け付けた場合、当該送信指示に対応する購入履歴情報をカタログ出力装置１１に送信する。
【００６９】
ユーザ管理情報格納部１１１、カタログ部品情報格納部１１２、および購入履歴情報格納部１４１は、不揮発性の記録媒体が好適であるが、揮発性の記録媒体でも実現可能である。ユーザ管理情報格納部１１１等にユーザ管理情報等が記憶される過程は問わない。例えば、記録媒体を介してユーザ管理情報等がユーザ管理情報格納部１１１等で記憶されるようになってもよく、通信回線等を介して送信されたユーザ管理情報等がユーザ管理情報格納部１１１等で記憶されるようになってもよく、あるいは、入力デバイスを介して入力されたユーザ管理情報等がユーザ管理情報格納部１１１等で記憶されるようになってもよい。
【００７０】
受信部１１３、購入履歴情報取得部１１６、第一受信部１２３、第二受信部１３３、購入履歴送信指示受付部１４２は、通常、無線または有線の通信手段で実現されるが、放送を受信する手段で実現されても良い。
【００７１】
カタログ情報構成部１１４、カタログ部品情報選択手段１１４１、カタログ情報構成手段１１４２、購入履歴情報蓄積部１１７は、通常、ＭＰＵやメモリ等から実現され得る。カタログ情報構成部１１４の処理手順は、通常、ソフトウェアで実現され、当該ソフトウェアはＲＯＭ等の記録媒体に記録されている。但し、ハードウェア（専用回路）で実現しても良い。
【００７２】
出力部１１５、第一送信部１２２、第二送信部１３２、および購入履歴情報送信部１４３は、通常、無線または有線の通信手段で実現されるが、放送手段で実現されても良い。
【００７３】
第一出力部１２４、第二出力部１３４は、ディスプレイやスピーカー等の出力デバイスを含むと考えても含まないと考えても良い。第一出力部１２４は、出力デバイスのドライバーソフトまたは、出力デバイスのドライバーソフトと出力デバイス等で実現され得る。
【００７４】
次に、カタログシステム１の動作について説明する。まず、カタログ出力装置１１の動作について、図３のフローチャートを用いて説明する。
【００７５】
（ステップＳ３０１）受信部１１３は、第一端末１２から贈答指示を受信したか否かを判断する。贈答指示を受信すればステップＳ３０２に行き、贈答指示を受信しなければステップＳ３０１に戻る。
【００７６】
（ステップＳ３０２）カタログ情報構成部１１４は、贈答指示が有するユーザ識別子と予算金額とを取得する。
【００７７】
（ステップＳ３０３）購入履歴情報取得部１１６は、ステップＳ３０２で取得されたユーザ識別子を用いて、当該ユーザ識別子で識別されるユーザの１以上の購入履歴情報を購入履歴管理サーバ１４から取得する。
【００７８】
（ステップＳ３０４）購入履歴情報蓄積部１１７は、ステップＳ３０３で取得された１以上の購入履歴情報をユーザ管理情報格納部１１１に蓄積する。なお、ここでの蓄積は、一時的な蓄積でも良い。
【００７９】
（ステップＳ３０５）カタログ情報構成部１１４のカタログ部品情報選択手段１１４１は、カタログ情報を構成する１以上の商品またはサービスを選択する。かかる商品等選択処理について、図４のフローチャートを用いて説明する。
【００８０】
（ステップＳ３０６）カタログ情報構成手段１１４２は、ステップＳ３０５で選択された１以上の商品またはサービスの１以上のカタログ部品情報の全部または一部を用いて、カタログ情報を構成する。
【００８１】
（ステップＳ３０７）出力部１１５は、ステップＳ３０６で構成されたカタログ情報を出力する。なお、ここでの出力とは、例えば、第二端末１３への送信である。また、出力部１１５は、カタログ情報へアクセスするためのＵＲＩ（例えば、ＵＲＬ）を第二端末１３に送信しても良い。
【００８２】
なお、図３のフローチャートにおいて、電源オフや処理終了の割り込みにより処理は終了する。
【００８３】
次に、ステップＳ３０５の商品等選択処理について、図４のフローチャートを用いて説明する。
【００８４】
（ステップＳ４０１）カタログ部品情報選択手段１１４１は、ステップＳ３０２で取得されたユーザ識別子に対応するユーザ情報が有するユーザの個人情報を、ユーザ管理情報格納部１１１から取得する。なお、個人情報とは、例えば、ユーザの性別、年齢層、住所等である。
【００８５】
（ステップＳ４０２）カタログ部品情報選択手段１１４１は、ステップＳ３０２で取得されたユーザ識別子に対応する１以上の購入履歴情報をユーザ管理情報格納部１１１から取得し、当該１以上の購入履歴情報を用いて、嗜好情報を取得する。例えば、カタログ部品情報選択手段１１４１は、最近の予め決められた期間以内（例えば、３年間以内）にユーザが閾値回数より多い回数（例えば、１０回より多い回数）購入している商品の種類またはメーカーまたは店舗等の情報を嗜好情報として取得する。
【００８６】
（ステップＳ４０３）カタログ部品情報選択手段１１４１は、ステップＳ３０２で取得されたユーザ識別子に対応する１以上の購入履歴情報を用いて、除外情報を取得する。例えば、カタログ部品情報選択手段１１４１は、最近の予め決められた期間以内（例えば、３か月以内）にユーザが購入した商品または商品の種類またはメーカーまたは店舗等の情報を除外情報として取得する。除外情報を取得するのは、ユーザの購入した商品と贈呈品とが重複しないようにするためである。
【００８７】
（ステップＳ４０４）カタログ部品情報選択手段１１４１は、ステップＳ４０１で取得した個人情報またはステップＳ４０２で取得した嗜好情報またはステップＳ４０３で取得した除外情報のうちの１以上の情報、および金額を用いて、カタログ部品情報を検索するための検索式を構成する。カタログ部品情報選択手段１１４１は、例えば、「（商品またはサービスの金額（価格）がステップＳ３０２で取得された予算金額に合致する）ＡＮＤ（商品またはサービスの属性情報が個人情報に合致する）ＡＮＤ（商品またはサービスの属性情報が嗜好情報に合致する）ＡＮＤ（商品またはサービスの属性情報が除外情報に合致しない）」という検索式を構成する。
【００８８】
（ステップＳ４０５）カタログ部品情報選択手段１１４１は、カウンタｉに１を代入する。
【００８９】
（ステップＳ４０６）カタログ部品情報選択手段１１４１は、カタログ部品情報格納部１１２に、ｉ番目のカタログ部品情報が存在するか否かを判断する。ｉ番目のカタログ部品情報が存在すればステップＳ４０７に行き、ｉ番目のカタログ部品情報が存在しなければ上位処理にリターンする。
【００９０】
（ステップＳ４０７）カタログ部品情報選択手段１１４１は、ｉ番目のカタログ部品情報がステップＳ４０４で構成された検索式に合致するか否かを判断する。検索式に合致すればステップＳ４０８に行き、検索式に合致しなければステップＳ４０９に行く。
【００９１】
（ステップＳ４０８）カタログ部品情報選択手段１１４１は、ｉ番目のカタログ部品情報を取得する。
【００９２】
（ステップＳ４０９）カタログ部品情報選択手段１１４１は、カウンタｉを１、インクリメントする。ステップＳ４０６に戻る。
【００９３】
なお、図４のフローチャートにおいて、カタログ部品情報選択手段１１４１は、個人情報および金額のみを用いて商品またはサービスを選択しても良いし、購入履歴情報および金額のみを用いて商品またはサービスを選択しても良い。
【００９４】
次に、第一端末１２の動作について説明する。第一端末１２の第一受付部１２１は、贈答指示を受け付ける。そして、第一送信部１２２は、第一受付部１２１が受け付けた贈答指示をカタログ出力装置１１に送信する。また、第一受信部１２３は、カタログ出力装置１１から情報を受信する。そして、第一出力部１２４は、第一受信部１２３が受信した情報を出力する。
【００９５】
次に、第二端末１３の動作について説明する。第二端末１３を構成する第二受付部１３１は、ユーザから情報や指示を受け付ける。そして、第二送信部１３２は、第二受付部１３１が受け付けた情報や指示を、例えば、カタログ出力装置１１に送信する。第二受信部１３３は、例えば、カタログ出力装置１１から、情報を受信する。そして、第二出力部１３４は、第二受信部１３３が受信した情報を出力する。
【００９６】
次に、購入履歴管理サーバ１４の動作について説明する。購入履歴管理サーバ１４を構成する購入履歴送信指示受付部１４２は、カタログ出力装置１１またはユーザから、購入履歴情報の送信指示を受け付ける。そして、購入履歴情報送信部１４３は、当該送信指示に対応する購入履歴情報をカタログ出力装置１１に送信する。
【００９７】
以下、本実施の形態におけるカタログシステム１の具体的な動作について説明する。カタログシステム１の概念図は図１である。
【００９８】
今、ユーザ管理情報格納部１１１は、図５に示す構造を有するユーザ管理表を保持している。ユーザ管理表は「ユーザＩＤ」「ユーザ情報」を有するレコードを１以上、格納している。ここで、「ユーザＩＤ」はユーザ識別子である。また、「ユーザ情報」は「ユーザ属性」「行動履歴情報」を有する。「ユーザ属性」は、上述した個人情報であり、ここでは「氏名」「年齢」「性別」「住所」等を有する。「住所」は完全な住所でも良いし、都道府県のみでも良いし、都道府県と市町村のみ等でも良い。また、「行動履歴情報」は、ここでは「カードＮｏ．」「金額」「利用店舗」「商品名」「商品コード」「商品種別」「利用日」を有する。「商品名」は、商品またはサービスの名称である。「商品種別」は、商品またはサービスの種類である。「利用日」はクレジットカードを利用した日である。さらに、初期の段階では、ユーザ管理表は、各ユーザの「行動履歴情報」を有しない、とする。
【００９９】
また、カタログ部品情報格納部１１２は、図６に示すようなカタログ部品管理表を保持している。カタログ部品管理表は、カタログ部品情報を管理する。カタログ部品管理表は、「ＩＤ」「商品名」「属性情報」「写真」等を有するレコードを１以上保持している。「ＩＤ」はレコードを識別する情報である。「商品名」は、商品またはサービスの名称である。「属性情報」は商品またはサービスの属性であり、ここでは「商品種別」「販売元」「金額」「対象者」「郵送日」等を有する。「商品種別」は、商品またはサービスの種類である。「対象者」は商品を使用する人またはサービスを享受する人を特定する情報である。
【０１００】
かかる状況において、例えば、ユーザ「田中花子」は、「山田太郎」にお歳暮を贈呈するために、お歳暮贈呈サイトのウェブページを自身の端末装置である第一端末１２に図７のような画面を表示し、贈呈先「山田太郎」のユーザＩＤ「３０００１」、予算金額「５０００円」、および自身のユーザＩＤ「３０００２」を入力し、「贈呈」ボタンを押下した、とする。
【０１０１】
次に、第一端末１２を構成する第一受付部１２１は、贈答指示を受け付ける。ここで、贈答指示は、「贈呈先ユーザＩＤ：３０００１，予算金額：５０００円，自分のユーザＩＤ：３０００２」を有する。
【０１０２】
次に、第一送信部１２２は、第一受付部１２１が受け付けた贈答指示「贈呈先ユーザＩＤ：３０００１，予算金額：５０００円，自分のユーザＩＤ」３０００２」をカタログ出力装置１１に送信する。
【０１０３】
次に、カタログ出力装置１１の受信部１１３は、第一端末１２から贈答指示「贈呈先ユーザＩＤ：３０００１，予算金額：５０００円，自分のユーザＩＤ：３０００２」を受信する。
【０１０４】
次に、カタログ情報構成部１１４は、贈答指示が有するユーザ識別子「３０００１」と予算金額「５０００円」とを取得する。
【０１０５】
次に、購入履歴情報取得部１１６は、取得されたユーザ識別子「３０００１」で識別されるユーザの１以上の購入履歴情報を購入履歴管理サーバ１４から取得する。ここで、購入履歴情報取得部１１６は、ユーザ識別子「３０００１」をキーとして、購入履歴管理サーバ１４を検索し、ユーザ識別子「３０００１」で識別されるユーザの１以上の購入履歴情報を受信する。
【０１０６】
次に、購入履歴情報蓄積部１１７は、取得された１以上の購入履歴情報をユーザ管理表に蓄積する。ここで、蓄積された１以上の購入履歴情報は、図５のユーザＩＤ「３０００１」と対になる購入履歴情報である。
【０１０７】
次に、カタログ部品情報選択手段１１４１は、例えば、以下のように、カタログ情報を構成する１以上の商品またはサービスを選択する。
【０１０８】
つまり、まず、カタログ部品情報選択手段１１４１は、ユーザＩＤ「３０００１」に対応するユーザ情報が有するユーザの個人情報のうち、「年齢：４５，性別：男，住所：京都府・・・」を、ユーザ管理表（図５参照）から取得する。
【０１０９】
次に、カタログ部品情報選択手段１１４１は、ユーザＩＤ「３０００１」に対応する１以上の購入履歴情報をユーザ管理表から取得し、当該１以上の購入履歴情報を用いて、嗜好情報「商品種別：赤ワイン」を取得する。ここで、カタログ部品情報選択手段１１４１は、現在から１年前までの間の購入数が閾値以上の商品種別を嗜好情報として取得する、とする。
【０１１０】
次に、カタログ部品情報選択手段１１４１は、ユーザＩＤ「３０００１」に対応する１以上の購入履歴情報を用いて、除外情報「ワインＹＡ」を取得する。ここで、カタログ部品情報選択手段１１４１は、現在から１か月前までの間に購入している商品名を嗜好情報として取得する、とする。
【０１１１】
次に、カタログ部品情報選択手段１１４１は、取得した個人情報「年齢：４５，性別：男，住所：京都府・・・」、嗜好情報「商品種別：赤ワイン」、除外情報「ワインＹＡ」、および予算金額「５０００円」を用いて、カタログ部品情報を検索するための検索式「Ｓｅｌｅｃｔ  ｆｒｏｍ  カタログ部品管理表  ｗｈｅｒｅ  （個人情報∈対象者）ＡＮＤ（商品種別＝赤ワイン）ＡＮＤ（商品名！＝ワインＹＡ）ＡＮＤ（金額＝５０００）」を構成する。なお、「個人情報∈対象者」は個人情報が対象者の条件を満たすことを意味する、とする。また、「！＝」は否定（ＮＯＴ）である。
【０１１２】
次に、カタログ部品情報選択手段１１４１は、検索式「Ｓｅｌｅｃｔ  ｆｒｏｍ  カタログ部品管理表  ｗｈｅｒｅ  （個人情報∈対象者）ＡＮＤ（商品種別＝赤ワイン）ＡＮＤ（商品名！＝ワインＹＡ）ＡＮＤ（金額＝５０００）」を実行する。
【０１１３】
そして、カタログ部品情報選択手段１１４１は、カタログ部品管理表の「ＩＤ＝１」等のレコードを選択する。「ＩＤ＝１」のレコードにおいて、個人情報「年齢：４５，性別：男，住所：京都府・・・」は対象者「２０歳以上」に合致し、商品種別は「赤ワイン」であり、商品名は「ワインＹＡ」でははく、金額は「５０００」だからである。また、カタログ部品情報選択手段１１４１は、カタログ部品管理表の「ＩＤ＝２」のレコードを選択しない。検索式の条件「金額＝５０００」を満たさないからである。また、カタログ部品情報選択手段１１４１は、カタログ部品管理表の「ＩＤ＝３」のレコードを選択しない。その商品名が「ワインＹＡ」であり、検索式の条件「商品名！＝ワインＹＡ」を満たさないからである。
【０１１４】
次に、カタログ情報構成手段１１４２は、選択された１以上の商品のカタログ部品情報の全部または一部を用いて、カタログ情報を構成する。そして、カタログ情報構成手段１１４２は、カタログ情報にアクセスするためのＵＲＬ「http://www.oseibo.co.jp/aaa/」を取得する。なお、カタログ情報を書き込んだ先を識別するＵＲＬを取得する技術は公知技術であるので、その説明を省略する。
【０１１５】
次に、出力部１１５は、贈呈元のユーザのユーザＩＤ「３０００２」と対になる氏名「田中花子」、ユーザＩＤ「３０００１」と対になる贈呈先の氏名「山田太郎」、ユーザＩＤ「３０００１」と対になる贈呈先のメールアドレス「ｙｔ＠ａａａ．ｃｏ．ｊｐ」をユーザ管理表から取得する。そして、出力部１１５は、カタログ情報構成手段１１４２が取得したＵＲＬ、取得した氏名「田中花子」、「山田太郎」等を用いて、お歳暮をお届けした旨の電子メールを構成する。かかる電子メールの例は、図８である。次に、出力部１１５は、図８の電子メールを、メールアドレス「ｙｔ＠ａａａ．ｃｏ．ｊｐ」で識別される「山田太郎」に送信する。なお、出力部１１５は、電子メールの雛形に、取得されたＵＲＬ、取得された氏名「田中花子」、「山田太郎」等を流し込んで、電子メールを構成する。
【０１１６】
次に、「山田太郎」の第二端末１３の第二受信部１３３は、図８の電子メールを受信する。そして、第二出力部１３４は、図８の電子メールを出力する。
【０１１７】
次に、「山田太郎」は、電子メールのＵＲＬ「http://www.oseibo.co.jp/aaa/」の箇所をクリックする。第二受付部１３１は、当該クリックを受け付け、第二送信部１３２はＵＲＬ「http://www.oseibo.co.jp/aaa/」に対応するウェブページの送信指示をカタログ出力装置１１に送信する。
【０１１８】
そして、カタログ出力装置１１の受信部１１３が送信指示を受信する。そして、出力部１１５はＵＲＬ「http://www.oseibo.co.jp/aaa/」に対応するウェブページを、「山田太郎」の第二端末１３に送信する。なお、このウェブページは、カタログ情報を含む。
【０１１９】
そして、第二端末１３の第二受信部１３３は、ＵＲＬ「http://www.oseibo.co.jp/aaa/」に対応するウェブページを受信し、第二出力部１３４は当該ウェブページを出力する。かかる出力例は、図９である。
【０１２０】
次に、「山田太郎」は、図９の９０１に示すように、一つの商品にチェックを入力し、９０２の決定ボタンを押下した、とする。すると、第二端末１３の第二受付部１３１は、チェックと決定ボタンの押下を受け付ける。そして、第二送信部１３２は、チェックした商品のＩＤ「１」と、山田太郎のユーザＩＤ「３０００１」とを含む情報をカタログ出力装置１１に送信する。
【０１２１】
次に、カタログ出力装置１１の受信部１１３は、チェックした商品のＩＤ「１」と、山田太郎のユーザＩＤ「３０００１」とを含む情報を受信する。そして、図示しない処理部は、当該受信された情報を蓄積したり、山田太郎に「ＩＤ＝１」の商品を郵送するための処理等を行う。そして、図示しない処理部は、山田太郎が選択した商品（ここでは「ＩＤ＝１」の商品）に関する情報を第一端末１２に送信しても良い。
【０１２２】
以上、本実施の形態によれば、贈呈先の行動に関する情報を用いて、贈呈先に喜ばれる可能性が高い商品やサービスを贈呈できるカタログを、贈呈先ごとに構成できる。
【０１２３】
また、本実施の形態によれば、贈呈先のクレジットカードの購入履歴の情報を用いて、贈呈先に喜ばれる可能性が高い商品やサービスを贈呈できるカタログを、贈呈先ごとに構成できる。
【０１２４】
また、本実施の形態によれば、贈呈先の個人情報を用いて、贈呈先に喜ばれる可能性が高い商品やサービスを贈呈できるカタログを、贈呈先ごとに構成できる。
【０１２５】
また、本実施の形態によれば、贈呈先の情報を用いて、その贈呈先に喜ばれる可能性が高い商品やサービスを選択しやすいカタログを、贈呈先ごとに構成できる。
【０１２６】
なお、本実施の形態によれば、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるカタログ出力装置１１を実現するソフトウェアは、以下のようなプログラムである。つまり、このプログラムは、コンピュータがアクセス可能な記録媒体は、ユーザを識別するユーザ識別子と当該ユーザに関するユーザ情報とを有する１以上のユーザ管理情報を格納し得るユーザ管理情報格納部と、商品またはサービスに関する情報であり、商品またはサービスの金額を含む属性情報を有する２以上のカタログ部品情報を格納し得るカタログ部品情報格納部とを含み、コンピュータを、予算金額と贈呈先のユーザを識別するユーザ識別子とを有する贈答指示を端末装置から受信する受信部と、前記贈答指示に含まれる予算金額に対応する商品またはサービスであり、前記贈答指示に含まれるユーザ識別子と対になるユーザ情報に合致する属性情報を含む１以上のカタログ部品情報の全部または一部を用いてカタログ情報を構成するカタログ情報構成部と、前記カタログ情報を出力する出力部として機能させるためのプログラムである。
【０１２７】
上記プログラムにおいて、前記ユーザ情報は、ユーザの行動に関する情報である行動履歴情報を含むであることは好適である。
【０１２８】
上記プログラムにおいて、前記行動履歴情報は、クレジットカードを用いてユーザが購入した商品またはサービスに関する購入履歴情報であるであることは好適である。
【０１２９】
上記プログラムにおいて、前記カタログ部品情報格納部は、２以上の贈呈先へのカタログ情報に共通に付加する１以上のカタログ部品情報である共通カタログ部品情報をも含み、前記カタログ情報構成部は、前記贈答指示に含まれる予算金額に対応する商品またはサービスであり、前記贈答指示に含まれるユーザ識別子と対になる属性情報に合致する１以上のカタログ部品情報を取得し、当該取得した１以上のカタログ部品情報と前記共通カタログ部品情報とを有するカタログ情報を構成するものとして、コンピュータを機能させることは好適である。
【０１３０】
（実施の形態２）
本実施の形態において、贈答先のユーザの指定および予算金額を受け付け、当該ユーザに関する情報であるユーザ情報を用いて、当該ユーザ向けであり予算金額に対応した商品等の情報からカタログを構成し、出力するカタログシステムについて説明する。
【０１３１】
なお、本実施の形態と実施の形態１との違いは、ユーザ情報のうちの行動履歴を示す情報は、例えば、本実施の形態において、ユーザが見た商品等に関する情報を含む点である。なお、ユーザが見た商品等とは、ユーザが見た商品、ユーザが見たポスター等の展示物に対する商品またはサービス等である。
【０１３２】
本実施の形態におけるカタログシステム２の概念図は、図１と同様である。ただし、カタログシステム２は、図１のカタログ出力装置１１に代えて、カタログ出力装置２１を有する。また、カタログシステム２は、図１の購入履歴管理サーバ１４に代えて、閲覧商品管理サーバ２４を有する。
【０１３３】
カタログシステム２は、カタログ出力装置２１、１または２以上の第一端末１２、１または２以上の第二端末１３、および閲覧商品管理サーバ２４を備える。ここでカタログ出力装置２１は、カタログ情報を出力する装置である。また、閲覧商品管理サーバ２４は、ユーザが閲覧した商品等に関する情報を管理するサーバ装置である。
【０１３４】
図１０は、本実施の形態におけるカタログシステム２のブロック図である。
【０１３５】
カタログシステム２を構成するカタログ出力装置２１は、ユーザ管理情報格納部２１１、カタログ部品情報格納部１１２、受信部１１３、カタログ情報構成部２１４、出力部１１５、閲覧商品情報取得部２１６、および閲覧商品情報蓄積部２１７を備える。
【０１３６】
カタログ情報構成部２１４は、カタログ部品情報選択手段２１４１、およびカタログ情報構成手段１１４２を備える。
【０１３７】
閲覧商品管理サーバ２４は、閲覧商品情報格納部２４１、閲覧商品送信指示受付部２４２、および閲覧商品情報送信部２４３を備える。
【０１３８】
カタログ出力装置２１を構成するユーザ管理情報格納部２１１は、１以上のユーザ管理情報を格納し得る。ユーザ管理情報は、ユーザ識別子とユーザ情報とを有する。ユーザ情報とは、ユーザに関する情報である。ユーザ情報は、例えば、行動履歴情報、ユーザの属性であるユーザ属性（性別、年齢等）である。また、ユーザ管理情報は、ユーザにカタログ情報を通知するための通知先情報を有しても良い。通知先情報は、例えば、メールアドレス、ＩＰアドレス等である。また、行動履歴情報は、ユーザが見た商品に関する情報である閲覧商品情報である。また、行動履歴情報は、実施の形態１で説明した購入履歴情報を有しても良い。ここで、ユーザが見た商品とは、予め決められた条件を満たすほど（例えば、閾値以上の時間視界にあった等）、良く見た商品でも良いし、視界に入ったが予め決められた条件を満たすほど（例えば、閾値以下の時間しか視界になかった等）見ていない商品、いわゆる素通りした商品などでも良い。また、ユーザが見た商品は、例えば、ユーザが装着しているカメラが撮影した商品、商品に対応付いている受信機が受信したユーザＩＤで識別されるユーザに対応する当該商品等である。また、閲覧商品情報は、ユーザが商品を見た位置を示す位置情報を含んでも良い。また、閲覧商品情報は、ユーザが凝視した商品に関する情報である凝視商品情報、およびユーザが凝視しなかった商品に関する情報である非凝視商品情報を含んでも良い。凝視した商品とは、予め決められた条件を満たすほど、良く見た商品であり、例えば、閾値以上の時間、カメラに映っていた商品である。また、凝視しなかった商品とは、予め決められた条件を満たすほど、あまり見なかった商品であり、例えば、閾値より少ない時間しか、カメラに映っていなかった商品である。また、閲覧商品情報は、ユーザと商品との物理的な位置関係を示す情報であるユーザ商品関係情報を含んでも良い。ユーザ商品関係情報は、例えば、ユーザと商品との距離を示す情報、ユーザと商品との距離が閾値以内になった回数または時間、ユーザが商品に触れたか否かを示す情報、ユーザが商品に触れた回数、時間などである。また、閲覧商品情報は、ユーザが商品を見ている間のユーザの生体情報を含んでも良い。生体情報とは、例えば、血圧、脈拍等の情報である。生体情報とは、例えば、血圧、脈拍等が予め決められた条件を満たすほど急に変化した回数や時間等の情報でも良い。また、閲覧商品情報は、ユーザが商品を見ている間のユーザの表面の動きに関する情報である表情情報を含んでも良い。表情情報は、例えば、眉が上がった、瞳孔が開いた、唾をのんだ、眉をしかめた等の情報である。表情情報は、例えば、眉が上がった、瞳孔が開いた、唾をのんだ、眉をしかめた等の回数や時間や単位時間あたりの回数等でも良い。
【０１３９】
カタログ情報構成部２１４は、贈答指示に含まれる予算金額に対応する商品またはサービスであり、贈答指示に含まれるユーザ識別子と対になるユーザ情報に合致する属性情報を含む１以上のカタログ部品情報の全部または一部を用いてカタログ情報を構成する。
なお、カタログ情報構成部２１４が構成するカタログ情報は、ユーザ情報に合致する属性情報を含まないカタログ部品情報の全部または一部が含まれていても良い。つまり、例えば、カタログ情報構成部２１４は、カタログ部品情報格納部１１２に格納されている２以上のカタログ部品情報の全部または一部を用いてカタログ情報を構成しても良い。かかる場合、カタログ情報構成部２１４は、ユーザ情報に合致する属性情報を含む１以上の各カタログ部品情報に対して、ユーザ情報に合致する旨である合致情報を付加しても良い。合致情報は、例えば、「お勧め」「目玉」などの文字列でも良いし、ユーザ情報に含まれる氏名や名前を含む情報（例えば、「○○さん向け商品」）などでも良い。
また、カタログ情報構成部２１４は、人間関係情報を用いて、１以上のカタログ部品情報を選択し、当該選択した１以上のカタログ部品情報の全部または一部を用いてカタログ情報を構成しても良い。カタログ情報構成部２１４は、例えば、人間関係情報に対応する価格情報を満たす価格のカタログ部品情報から、１以上のカタログ部品情報を選択しても良い。かかる場合、カタログ情報構成部２１４は、予算金額を使用しなくても良い。また、予算金額は、人間関係情報に対応する価格情報と考えても良い。なお、かかる場合、カタログ情報構成部２１４は、人間関係情報と、価格または価格の範囲を示す価格情報との組を１組以上保持している。
また、カタログ情報構成部２１４は、ユーザ識別子と対になるユーザ情報と人間関係情報とを用いて、１以上のカタログ部品情報を選択し、当該選択した１以上のカタログ部品情報の全部または一部を用いてカタログ情報を構成しても良い。
【０１４０】
カタログ情報構成部２１４は、贈答指示に含まれる予算金額に対応する商品またはサービスであり、贈答指示に含まれるユーザ識別子と対になる属性情報に合致する１以上のカタログ部品情報を取得し、取得した１以上のカタログ部品情報と共通カタログ部品情報とを有するカタログ情報を構成しても良い。
【０１４１】
ここで、予算金額に対応する商品またはサービスとは、通常、予算金額と一致する商品またはサービスであるが、予算金額以内の金額の商品またはサービスでも良いし、予算金額と比較して閾値以内の差の金額の商品またはサービス等でも良い。
【０１４２】
また、カタログ部品情報の全部または一部とは、カタログ部品情報の一部とは、カタログ部品情報が有する商品名、写真等だけでも良い。
【０１４３】
カタログ情報構成部２１４を構成するカタログ部品情報選択手段２１４１は、受信部１１３が受信した贈答指示に含まれる予算金額に対応し、かつ受信部１１３が受信した贈答指示に含まれるユーザ識別子と対になるユーザ情報に合致する属性情報に対応する１以上の商品またはサービスを、カタログ部品情報格納部１１２に格納されている２以上のカタログ部品情報に対応する商品またはサービスから選択する。なお、商品またはサービスの選択とは、商品またはサービスのカタログ部品情報の取得、当該カタログ部品情報のＩＤの取得等であり、選択した商品またはサービスを特定する処理であれば何でも良い。
【０１４４】
カタログ部品情報選択手段１１４１は、例えば、ユーザ情報に含まれる１以上の閲覧商品情報を取得し、当該１以上の閲覧商品情報を用いてユーザが好む商品またはサービスに関する情報、またはユーザが好まない商品またはサービスに関する情報を取得する。そして、カタログ部品情報選択手段１１４１は、例えば、ユーザが好む商品またはサービスを選択し、ユーザが好まない商品またはサービスを選択しないことは好適である。
【０１４５】
カタログ部品情報選択手段１１４１は、例えば、ユーザ情報に含まれる１以上の凝視商品情報または／および非凝視商品情報を取得し、当該１以上の凝視商品情報または／および非凝視商品情報を用いて１以上の商品またはサービスを選択しても良い。カタログ部品情報選択手段１１４１は、例えば、凝視商品情報に対応する商品またはサービスまたは商品の種類またはサービスの種類を選択し、非凝視商品情報に対応する商品またはサービスまたは商品の種類またはサービスの種類を選択しないことは好適である。また、カタログ部品情報選択手段１１４１は、例えば、凝視商品情報として出現している回数が閾値以上の商品のまたはサービスまたは商品の種類またはサービスの種類を選択し、非凝視商品情報として出現している回数が閾値以上の商品またはサービスまたは商品の種類またはサービスの種類を選択しないことは好適である。
【０１４６】
また、カタログ部品情報選択手段１１４１は、例えば、ユーザ情報に含まれる１以上の凝視商品情報または／および非凝視商品情報、および１以上の購入履歴情報を取得し、当該１以上の凝視商品情報または／および非凝視商品情報、および１以上の購入履歴情報を用いて１以上の商品またはサービスを選択しても良い。例えば、カタログ部品情報選択手段１１４１は、凝視商品情報に対応する商品であり、１以上の購入履歴情報から未購入であると判断され得る１以上の商品またはサービスを選択しても良い。
例えば、カタログ部品情報選択手段１１４１は、１以上の凝視商品情報から取得される閲覧していた商品の種類と、購入履歴情報から取得される購入した商品の種類が同一であり、その他の商品の属性が異なる（閲覧していた商品が高価なもの等）場合、当該凝視商品情報に対応する商品、または当該凝視商品情報に対応する商品の属性値と類似度の高い属性値を有する商品を選択しても良い。
【０１４７】
また、閲覧商品情報が位置情報を含む場合、カタログ部品情報選択手段１１４１は、例えば、閾値以上または閾値より多い地点で閲覧している商品を選択しても良い。カタログ部品情報選択手段１１４１は、例えば、閾値以上または閾値より多い地点で取得された凝視商品情報に対応する商品またはサービスまたは商品の種類またはサービスの種類を選択することは好適である。
【０１４８】
また、閲覧商品情報がユーザ商品関係情報を含む場合、カタログ部品情報選択手段１１４１は、例えば、ユーザが商品に触れた回数が閾値以上の商品、ユーザと商品との距離が閾値以内であった時間が閾値以上の商品等を選択することは好適である。
【０１４９】
また、閲覧商品情報が生体情報を含む場合、カタログ部品情報選択手段１１４１は、例えば、血圧または脈拍が閾値以上の上がり具合であった時に閲覧していた商品等を選択することは好適である。カタログ部品情報選択手段１１４１は、例えば、血圧または脈拍が閾値以上の上がり具合であった回数または時間が閾値以上ある商品等を選択することは好適である。
【０１５０】
また、カタログ部品情報選択手段１１４１は、凝視商品情報、ユーザ商品関係情報、生体情報、または表情情報のうちの１以上の情報をパラメータとする演算式により算出される値である嗜好度を用いて、当該嗜好度が閾値以上の商品またはサービスを選択することは好適である。なお、嗜好度は、カタログ部品情報選択手段１１４１が算出しても良いし、図示しない嗜好度算出手段が算出しても良い。
【０１５１】
閲覧商品情報取得部２１６は、閲覧商品情報を閲覧商品管理サーバ２４から取得する。ここで、取得とは、通常、受信である。閲覧商品情報取得部２１６が閲覧商品情報を取得するタイミングや方法は問わない。閲覧商品情報取得部２１６は、受信部１１３が贈呈指示を受信するごとに閲覧商品情報を取得しても良いし、定期的に閲覧商品情報を閲覧商品管理サーバ２４から取得するなどしても良い。
【０１５２】
閲覧商品情報蓄積部２１７は、閲覧商品情報取得部２１６が取得した閲覧商品情報をユーザ管理情報格納部１１１に蓄積する。この閲覧商品情報は、ユーザ情報を構成する情報となる。
【０１５３】
閲覧商品管理サーバ２４を構成する閲覧商品情報格納部２４１は、ユーザごとの閲覧商品情報を格納している。閲覧商品情報は、例えば、非特許文献１に記載のウェアラブルコンピュータにより取得された映像を解析した結果の情報を含む。なお、映像を構成する各静止画を画像認識し、静止画に含まれる商品を特定する技術は公知の画像認識技術であるので詳細な説明を省略する。また、映像を構成する各静止画内に含まれる商品の画像がわかれば、ユーザが商品を見ている時間は、「商品が映っている静止画の数×１静止画（１フィールド）の単位時間（例えば、１／３０秒）」により、算出可能であることは言うまでもない。
【０１５４】
また、閲覧商品情報に含まれる凝視商品情報は、例えば、以下のように取得される。図示しない凝視商品情報取得手段は、商品の画像と商品識別子とを対に有する商品画像データベースを用いて、映像を構成する各静止画を画像認識し、商品識別子を取得する。そして、凝視商品情報取得手段は、同一の商品識別子で識別される商品を含む静止画が一定時間以上連続する場合、当該商品識別子を凝視商品情報として取得する。
【０１５５】
また、閲覧商品情報に含まれる非凝視商品情報は、例えば、以下のように取得される。図示しない非凝視商品情報取得手段は、商品の画像と商品識別子とを対に有する商品画像データベースを用いて、映像を構成する各静止画を画像認識し、商品識別子を取得する。そして、非凝視商品情報取得手段は、同一の商品識別子で識別される商品を含む静止画が閾値より少ない時間しか連続しない場合、当該商品識別子を非凝視商品情報として取得する。
【０１５６】
また、閲覧商品情報は、例えば、商品を閲覧するユーザを撮影した映像を解析した結果の情報を含む。映像を解析した結果の情報は、例えば、表情情報である。なお、閲覧商品情報に含まれる表情情報は、例えば、公知の顔画像の分析技術（例えば、ＵＲＬ「http://www.kaga-create.co.jp/fas/」参照）により取得される。また、商品を閲覧するユーザを撮影した映像は、例えば、展示されている商品の近くに設置されているカメラにより撮影された映像である。さらに、表情情報は、アイトラッキングの技術を用いて取得される情報でも良い。アイトラッキングの技術は、ＵＲＬ「http://www.marketingservice.co.jp/?page_id=3」または「http://www.cross-m.co.jp/service/eye/」等のウェブページを参照のこと。
【０１５７】
また、閲覧商品情報に含まれる位置情報は、ウェアラブルコンピュータが備えるＧＰＳ機能等により取得されても良いし、ユーザを撮影するカメラが保持していても良い。
【０１５８】
また、閲覧商品情報に含まれる生体情報、例えば、生体情報を取得する装置により取得される。
【０１５９】
閲覧商品送信指示受付部２４２は、カタログ出力装置２１またはユーザから、閲覧商品情報の送信指示を受け付ける。ここでの受け付けとは、受信またはユーザからの受け付けである。
【０１６０】
閲覧商品情報送信部２４３は、閲覧商品送信指示受付部２４２が閲覧商品情報の送信指示を受け付けた場合、当該送信指示に対応する閲覧商品情報をカタログ出力装置２１に送信する。
【０１６１】
ユーザ管理情報格納部２１１、および閲覧商品情報格納部２４１は、不揮発性の記録媒体が好適であるが、揮発性の記録媒体でも実現可能である。
【０１６２】
ユーザ管理情報格納部２１１等にユーザ管理情報等が記憶される過程は問わない。例えば、記録媒体を介してユーザ管理情報等がユーザ管理情報格納部２１１等で記憶されるようになってもよく、通信回線等を介して送信されたユーザ管理情報等がユーザ管理情報格納部２１１等で記憶されるようになってもよく、あるいは、入力デバイスを介して入力されたユーザ管理情報等がユーザ管理情報格納部２１１等で記憶されるようになってもよい。
【０１６３】
カタログ情報構成部２１４、カタログ部品情報選択手段２１４１、カタログ情報構成手段１１４２、および閲覧商品情報蓄積部２１７は、通常、ＭＰＵやメモリ等から実現され得る。カタログ情報構成部２１４等の処理手順は、通常、ソフトウェアで実現され、当該ソフトウェアはＲＯＭ等の記録媒体に記録されている。但し、ハードウェア（専用回路）で実現しても良い。
【０１６４】
閲覧商品情報取得部２１６は、通常、無線または有線の通信手段で実現されるが、放送を受信する手段で実現されても良い。
【０１６５】
閲覧商品情報送信部２４３は、通常、無線または有線の通信手段で実現されるが、放送手段で実現されても良い。
【０１６６】
次に、カタログシステム２の動作について説明する。まず、カタログ出力装置２１の動作について、図１１のフローチャートを用いて説明する。図１１のフローチャートにおいて、図３のフローチャートと同一のステップについて、その説明を省略する。
【０１６７】
（ステップＳ１１０１）閲覧商品情報取得部２１６は、ステップＳ３０２で取得されたユーザ識別子を用いて、当該ユーザ識別子で識別されるユーザの１以上の閲覧商品情報を閲覧商品管理サーバ２４から取得する。
【０１６８】
（ステップＳ１１０２）閲覧商品情報蓄積部２１７は、ステップＳ１１０１で取得された１以上の閲覧商品情報をユーザ管理情報格納部１１１に蓄積する。なお、ここでの蓄積は、一時的な蓄積でも良い。
【０１６９】
（ステップＳ１１０３）カタログ情報構成部２１４のカタログ部品情報選択手段２１４１は、カタログ情報を構成する１以上の商品またはサービスを選択する。かかる商品等選択処理について、図１２のフローチャートを用いて説明する。
【０１７０】
なお、図１１のフローチャートにおいて、電源オフや処理終了の割り込みにより処理は終了する。
【０１７１】
次に、ステップＳ１１０３の商品等選択処理について、図１２のフローチャートを用いて説明する。
【０１７２】
（ステップＳ１２０１）カタログ部品情報選択手段２１４１は、ステップＳ３０２で取得されたユーザ識別子に対応するユーザ情報が有するユーザの個人情報を、ユーザ管理情報格納部１１１から取得する。なお、個人情報とは、例えば、ユーザの性別、年齢層、住所等である。
【０１７３】
（ステップＳ１２０２）カタログ部品情報選択手段２１４１は、ステップＳ３０２で取得されたユーザ識別子に対応する１以上の閲覧商品情報をユーザ管理情報格納部１１１から取得し、当該１以上の閲覧商品情報を用いて、嗜好情報を取得する。例えば、カタログ部品情報選択手段２１４１は、凝視商品情報に対応する商品または商品の種類を嗜好情報として取得する。
【０１７４】
（ステップＳ１２０３）カタログ部品情報選択手段２１４１は、ステップＳ３０２で取得されたユーザ識別子に対応する１以上の閲覧商品情報を用いて、除外情報を取得する。例えば、カタログ部品情報選択手段２１４１は、非凝視商品情報に対応する商品または商品の種類を除外情報として取得する。
【０１７５】
（ステップＳ１２０４）カタログ部品情報選択手段２１４１は、ステップＳ１２０１で取得した個人情報またはステップＳ１２０２で取得した嗜好情報またはステップＳ１２０３で取得した除外情報のうちの１以上の情報、および金額を用いて、カタログ部品情報を検索するための検索式を構成する。カタログ部品情報選択手段２１４１は、例えば、「（商品またはサービスの金額（価格）がステップＳ３０２で取得された予算金額に合致する）ＡＮＤ（商品またはサービスの属性情報が個人情報に合致する）ＡＮＤ（商品またはサービスの属性情報が嗜好情報に合致する）ＡＮＤ（商品またはサービスの属性情報が除外情報に合致しない）」という検索式を構成する。
【０１７６】
（ステップＳ１２０５）カタログ部品情報選択手段２１４１は、カウンタｉに１を代入する。
【０１７７】
（ステップＳ１２０６）カタログ部品情報選択手段２１４１は、カタログ部品情報格納部１１２に、ｉ番目のカタログ部品情報が存在するか否かを判断する。ｉ番目のカタログ部品情報が存在すればステップＳ１２０７に行き、ｉ番目のカタログ部品情報が存在しなければ上位処理にリターンする。
【０１７８】
（ステップＳ１２０７）カタログ部品情報選択手段２１４１は、ｉ番目のカタログ部品情報がステップＳ１２０４で構成された検索式に合致するか否かを判断する。検索式に合致すればステップＳ１２０８に行き、検索式に合致しなければステップＳ１２０９に行く。
【０１７９】
（ステップＳ１２０８）カタログ部品情報選択手段２１４１は、ｉ番目のカタログ部品情報を取得する。ここで、カタログ部品情報選択手段２１４１は、ｉ番目のカタログ部品情報の全部を取得しても良いし、一部を取得しても良い。
【０１８０】
（ステップＳ１２０９）カタログ部品情報選択手段２１４１は、カウンタｉを１、インクリメントする。ステップＳ１２０６に戻る。
【０１８１】
なお、図１２のフローチャートにおいて、カタログ部品情報選択手段２１４１は、個人情報および金額のみを用いて商品またはサービスを選択しても良いし、閲覧商品情報および金額のみを用いて商品またはサービスを選択しても良い。
【０１８２】
以下、本実施の形態におけるカタログシステム２の具体的な動作について説明する。カタログシステム２の概念図は図１と同様である。
【０１８３】
今、ユーザ管理情報格納部２１１は、図１３、および図１４の表を格納している。図１３、図１４は、それぞれユーザ管理表の一部であり、ユーザ情報の一部を管理する表である。図１３の表は、「ユーザＩＤ」「ユーザ情報」を有するレコードを１以上格納している。「ユーザ情報」は、「ユーザ属性」「閲覧商品情報」を有する。なお、「ユーザ属性」は上述した個人情報である。また、図１３の「閲覧商品情報」は省略されており、その具体的なデータは図１４の表である。
【０１８４】
また、図１４は、ユーザ情報を構成する閲覧商品情報を格納している表である。図１４は、閲覧商品情報管理表である。閲覧商品情報管理表は、「ユーザＩＤ」「閲覧商品情報」「購入フラグ」を有する。「閲覧商品情報」は、「日付」「時刻」「商品コード」「商品属性」「見つめた情報」を有する。「日付」は商品、商品またはサービスのパンフレット等を見た日である。「時刻」は商品、商品またはサービスのパンフレット等を見た日である。「商品コード」は商品を識別する商品識別子である。「商品属性」は「価格」「ブランド」「ジャンル」「アイテム」「色」「素材」「性別」を有する。「ジャンル」または「アイテム」または「ジャンル」と「アイテム」は、商品の種類を示す商品種別と同じである、と考えても良い。また、「性別」は対象者の一例である。また、「見つめた情報」は、行動履歴情報の一例であり、商品または商品のポスターまたはサービスのポスター等を閲覧した際に取得され得るユーザに関する情報である。「見つめた情報」は、「凝視商品情報」「ユーザ商品関係情報」「生体情報」「表情情報」を有する。「凝視商品情報」は、ユーザの商品等に対する認知または興味を示す情報であり、ここでは、ユーザが商品等を見つめた累積時間、回数を有する。また、「ユーザ商品関係情報」は、ユーザの商品等に対する関心を示す情報であり、ここでは、ユーザが商品を近づけた度合いを示す情報、ユーザが商品を手に取った度合いを示す情報を有する。商品を近づけた度合いを示す情報は、ここでは、閾値以内の距離にユーザが商品を近づけた累積時間、回数を有する。商品を手に取った度合いを示す情報は、ここでは、ユーザが商品を手に取った累積時間、回数を有する。「生体情報」は、ユーザの驚きまたは興奮の度合いを示す情報であり、ここでは、血圧または脈拍が閾値以上の上昇を検知した累積時間、回数を有する。また、「表情情報」は、ここでは、「眉が上がったことに関する情報」「瞳孔が開いたことに関する情報」「商品の特定のエリアへ視線を向けたことに関する情報」「唾をのんだことに関する情報」「眉をしかめたことに関する情報」を有する。「眉が上がったことに関する情報」は、ユーザの驚きまたは興奮の度合いを示す情報であり、ここでは、眉が上がった累積時間、回数を有する。「瞳孔が開いたことに関する情報」は、ユーザの興味または関心の度合いを示す情報であり、ここでは、瞳孔が閾値以上の開く動きを検知した累積時間、回数を有する。「商品の特定のエリアへ視線を向けたことに関する情報」は、商品等への認知または興味の度合いを示す情報であり、ここでは、商品の特定のエリアへ視線を向けた累積時間、回数を有する。「唾をのんだことに関する情報」は、ユーザの驚きまたは興奮の度合いを示す情報であり、ここでは、唾をのんだ累積時間、回数を有する。また、「眉をしかめたことに関する情報」は、ユーザの残念な気持ちの度合いを示す情報であり、ここでは、眉をしかめた累積時間、回数を有する。
【０１８５】
そして、「閲覧商品情報」が有する「嗜好度」は、ここでは、ユーザの商品等に対する嗜好の度合いを示す情報であり、「見つめて情報」を用いて算出されるスコアである。「嗜好度」は、凝視商品情報、ユーザ商品関係情報、生体情報、表情情報が有する累積時間または／および回数をパラメータとする演算式により算出される値である。「嗜好度」が大きいほど、ユーザが好む商品等である。また、演算式は、「眉をしかめたことに関する情報」に対応する累積時間、回数をパラメータとする減少関数である。また、演算式は、「凝視商品情報」、「ユーザ商品関係情報」、「生体情報」、「眉が上がったことに関する情報」「瞳孔が開いたことに関する情報」「商品の特定のエリアへ視線を向けたことに関する情報」「唾をのんだことに関する情報」に対応する累積時間、回数をパラメータとする増加関数である。
【０１８６】
そして、図示しない演算手段が、予め格納している演算式を用いて、図１４の嗜好度を算出したものとする。
【０１８７】
また、図１４の「購入済みフラグ」は、実施の形態１で説明した購入履歴情報から取得された情報である、とする。つまり、「購入済みフラグ＝１」の商品は、ユーザが既に購入済みであり、「購入済みフラグ＝０」の商品は、ユーザが未購入である。なお、実施の形態１で説明した購入履歴情報から、一の商品が購入済みであるか否かを判断する技術は公知技術である。
【０１８８】
また、カタログ部品情報格納部１１２は、図１５に示すカタログ部品管理表を保持している。カタログ部品管理表は、カタログ部品情報を管理する。カタログ部品管理表は、「ＩＤ」「商品コード」「属性情報」「写真」等を有するレコードを１以上保持している。「属性情報」は、「ブランド」「アイテム」「金額」「対象者」「郵送日」等を有する。
【０１８９】
かかる状況において、例えば、ユーザ「田中花子」は、「山田太郎」にプレゼントを贈るために、プレゼント贈呈サイトのウェブページを自身の端末装置である第一端末１２に図７のような画面を表示し、贈呈先「山田太郎」のユーザＩＤ「３０００１」、予算金額「６０００円」、および自身のユーザＩＤ「３０００２」を入力し、「贈呈」ボタンを押下した、とする。なお、図７の画面の予算金額は「５０００円」であるが、ここでは「６０００円」を入力した、とする。
【０１９０】
次に、第一端末１２を構成する第一受付部１２１は、贈答指示を受け付ける。ここで、贈答指示は、「贈呈先ユーザＩＤ：３０００１，予算金額：６０００円，自分のユーザＩＤ」３０００２」を有する。
【０１９１】
次に、第一送信部１２２は、第一受付部１２１が受け付けた贈答指示「贈呈先ユーザＩＤ：３０００１，予算金額：６０００円，自分のユーザＩＤ」３０００２」をカタログ出力装置１１に送信する。
【０１９２】
次に、カタログ出力装置１１の受信部１１３は、第一端末１２から贈答指示「贈呈先ユーザＩＤ：３０００１，予算金額：６０００円，自分のユーザＩＤ「３０００２」を受信する。
【０１９３】
次に、カタログ情報構成部１１４は、贈答指示が有するユーザ識別子「３０００１」と予算金額「６０００円」とを取得する。
【０１９４】
次に、購入履歴情報取得部１１６は、取得されたユーザ識別子「３０００１」で識別されるユーザの１以上の閲覧商品情報を閲覧商品管理サーバ２４から取得する。ここで、閲覧商品情報取得部２１６は、ユーザ識別子「３０００１」をキーとして、閲覧商品管理サーバ２４を検索し、ユーザ識別子「３０００１」で識別されるユーザの１以上の閲覧商品情報を受信する。
【０１９５】
次に、閲覧商品情報蓄積部２１７は、取得された１以上の閲覧商品情報をユーザ管理表に蓄積する。ここで、蓄積された１以上の閲覧商品情報は、図１４のユーザＩＤ「３０００１」と対になる閲覧商品情報である。
【０１９６】
次に、カタログ部品情報選択手段１１４１は、例えば、以下のように、カタログ情報を構成する１以上の商品またはサービスを選択する。
【０１９７】
つまり、まず、カタログ部品情報選択手段１１４１は、ユーザＩＤ「３０００１」に対応するユーザ情報が有するユーザの個人情報のうち、「年齢：４５，性別：男，住所：京都府・・・」を、ユーザ管理表（図５参照）から取得する。
【０１９８】
次に、カタログ部品情報選択手段１１４１は、ユーザＩＤ「３０００１」に対応する１以上の閲覧商品情報をユーザ管理表から取得し、当該１以上の閲覧商品情報が有する嗜好度が閾値（ここでは、３０）以上の商品であり、購入フラグが「０」の商品の商品コード、および商品属性を取得する。ここで、カタログ部品情報選択手段１１４１は、「商品ＩＤ＝１００００３、１００００５」の商品コード、および商品属性を取得した、とする。
【０１９９】
次に、カタログ部品情報選択手段１１４１は、まず、金額が６０００円以内で、かつ「商品ＩＤ＝１００００３、１００００５」の商品をカタログ部品情報管理表から選択する。ここで、「商品ＩＤ＝１００００３、１００００５」の商品の金額は、ぞれぞれ４０００円、６０００円であるので、カタログ部品情報選択手段１１４１は、「商品ＩＤ＝１００００３、１００００５」の２つの商品を選択する。次に、「商品ＩＤ＝１００００３」および「商品ＩＤ＝１００００５」の商品の商品属性を取得する。カタログ部品情報選択手段１１４１は、取得した商品属性の情報を閾値以上の類似度を有する商品等を、カタログ部品情報管理表から選択する。なお、複数の商品属性を有する複数の商品の類似度を算出する技術は公知技術であるので、詳細な説明は省略する。ここで、カタログ部品情報選択手段１１４１は、選択する商品数を予め決められた閾値以内の商品数としても良い。また、カタログ部品情報選択手段１１４１は、嗜好度が閾値以上の商品であり、購入フラグが「０」の商品のみを選択する等しても良い。
【０２００】
次に、カタログ情報構成手段１１４２は、選択された１以上の商品のカタログ部品情報の全部または一部を用いて、カタログ情報を構成する。
【０２０１】
次に、出力部１１５は、贈呈元のユーザのユーザＩＤ「３０００２」と対になる氏名「田中花子」、メールアドレス「ｙｔ＠ａａａ．ｃｏ．ｊｐ」をユーザ管理表から取得する。そして、出力部１１５は、カタログ情報構成手段１１４２が構成したカタログ情報を、メールアドレス「ｙｔ＠ａａａ．ｃｏ．ｊｐ」で識別される「山田太郎」に送信する。
【０２０２】
次に、「山田太郎」の第二端末１３の第二受信部１３３は、カタログ情報を受信する。そして、第二出力部１３４は、当該カタログ情報を出力する。
【０２０３】
次に、「山田太郎」は、出力されているカタログ情報から、一つの商品にチェックを入力し、決定ボタンを押下した、とする。すると、第二端末１３の第二受付部１３１は、チェックと決定ボタンの押下を受け付ける。そして、第二送信部１３２は、チェックした商品のＩＤと、山田太郎のユーザＩＤ「３０００１」とを含む情報をカタログ出力装置１１に送信する。
【０２０４】
次に、カタログ出力装置１１の受信部１１３は、チェックした商品のＩＤと、山田太郎のユーザＩＤ「３０００１」とを含む情報を受信する。そして、図示しない処理部は、当該受信された情報を蓄積したり、山田太郎に「ＩＤ＝１」の商品を郵送するための処理等を行う。そして、図示しない処理部は、山田太郎が選択した商品に関する情報を第一端末１２に送信しても良い。
【０２０５】
以上、本実施の形態によれば、贈呈先の行動に関する情報を用いて、贈呈先に喜ばれる可能性が高い商品やサービスを贈呈できるカタログを、贈呈先ごとに構成できる。
【０２０６】
また、本実施の形態によれば、ユーザが見た商品に関する情報である閲覧商品情報を用いて、贈呈先に喜ばれる可能性が高い商品やサービスを贈呈できるカタログを、贈呈先ごとに構成できる。
【０２０７】
また、本実施の形態によれば、贈呈先の個人情報を用いて、贈呈先に喜ばれる可能性が高い商品やサービスを贈呈できるカタログを、贈呈先ごとに構成できる。
【０２０８】
また、本実施の形態によれば、贈呈先の情報を用いて、その贈呈先に喜ばれる可能性が高い商品やサービスを選択しやすいカタログを、贈呈先ごとに構成できる。
【０２０９】
なお、本実施の形態におけるカタログ出力装置２１を実現するソフトウェアは、以下のようなプログラムである。つまり、このプログラムは、コンピュータがアクセス可能な記録媒体は、ユーザを識別するユーザ識別子と当該ユーザに関するユーザ情報とを有する１以上のユーザ管理情報を格納し得るユーザ管理情報格納部と、商品またはサービスに関する情報であり、商品またはサービスの金額を含む属性情報を有する２以上のカタログ部品情報を格納し得るカタログ部品情報格納部とを含み、コンピュータを、予算金額と贈呈先のユーザを識別するユーザ識別子とを有する贈答指示を端末装置から受信する受信部と、前記贈答指示に含まれる予算金額に対応する商品またはサービスであり、前記贈答指示に含まれるユーザ識別子と対になるユーザ情報に合致する属性情報を含む１以上のカタログ部品情報の全部または一部を用いてカタログ情報を構成するカタログ情報構成部と、前記カタログ情報を出力する出力部として機能させるためのプログラムである。
【０２１０】
上記プログラムにおいて、前記ユーザ情報は、ユーザの行動に関する情報である行動履歴情報を含むであることは好適である。
【０２１１】
また、上記プログラムにおいて、行動履歴情報は、ユーザが見た商品に関する情報である閲覧商品情報であるであることは好適である。
【０２１２】
また、上記プログラムにおいて、前記閲覧商品情報は、ユーザが商品を見た位置を示す位置情報を含むであることは好適である。
【０２１３】
また、上記プログラムにおいて、前記閲覧商品情報は、ユーザが凝視した商品に関する情報である凝視商品情報、およびユーザが凝視しなかった商品に関する情報である非凝視商品情報を含むであることは好適である。
【０２１４】
また、上記プログラムにおいて、前記閲覧商品情報は、ユーザと商品との物理的な位置関係を示す情報であるユーザ商品関係情報を含むであることは好適である。
【０２１５】
また、上記プログラムにおいて、前記閲覧商品情報は、ユーザが商品を見ている間のユーザの生体情報を含むであることは好適である。
【０２１６】
また、上記プログラムにおいて、前記閲覧商品情報は、ユーザが商品を見ている間のユーザの表面の動きに関する情報である表情情報を含むであることは好適である。
【０２１７】
上記プログラムにおいて、前記カタログ部品情報格納部は、２以上の贈呈先へのカタログ情報に共通に付加する１以上のカタログ部品情報である共通カタログ部品情報をも含み、前記カタログ情報構成部は、前記贈答指示に含まれる予算金額に対応する商品またはサービスであり、前記贈答指示に含まれるユーザ識別子と対になる属性情報に合致する１以上のカタログ部品情報を取得し、当該取得した１以上のカタログ部品情報と前記共通カタログ部品情報とを有するカタログ情報を構成するものとして、コンピュータを機能させることは好適である。
【０２１８】
また、図１６は、本明細書で述べたプログラムを実行して、上述した種々の実施の形態のカタログ出力装置を実現するコンピュータの外観を示す。上述の実施の形態は、コンピュータハードウェア及びその上で実行されるコンピュータプログラムで実現され得る。図１６は、このコンピュータシステム３００の概観図であり、図１７は、システム３００のブロック図である。
【０２１９】
図１６において、コンピュータシステム３００は、ＣＤ−ＲＯＭドライブを含むコンピュータ３０１と、キーボード３０２と、マウス３０３と、モニタ３０４とを含む。
【０２２０】
図１７において、コンピュータ３０１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３０１は、さらに、ＬＡＮへの接続を提供するネットワークカードを含んでも良い。
【０２２１】
コンピュータシステム３００に、上述した実施の形態のカタログ出力装置の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２２２】
プログラムは、コンピュータ３０１に、上述した実施の形態のカタログ出力装置の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２２３】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０２２４】
また、上記プログラムを実行するコンピュータは、単数であってもよく、複数であってもよい。すなわち、集中処理を行ってもよく、あるいは分散処理を行ってもよい。
【０２２５】
また、上記各実施の形態において、一の装置に存在する２以上の通信手段は、物理的に一の媒体で実現されても良いことは言うまでもない。
【０２２６】
また、上記各実施の形態において、各処理（各機能）は、単一の装置（システム）によって集中処理されることによって実現されてもよく、あるいは、複数の装置によって分散処理されることによって実現されてもよい。
【０２２７】
本発明は、以上の実施の形態に限定されることなく、種々の変更が可能であり、それらも本発明の範囲内に包含されるものであることは言うまでもない。
【産業上の利用可能性】
【０２２８】
以上のように、本発明にかかるカタログ出力装置は、贈呈先に喜ばれる可能性が高い商品やサービスを贈呈できるカタログを、贈呈先ごとに構成できるという効果を有し、カタログ出力装置等として有用である。
【符号の説明】
【０２２９】
１、２  カタログシステム
１１、２１  カタログ出力装置
１２  第一端末
１３  第二端末
１４  購入履歴管理サーバ
２４  閲覧商品管理サーバ
１１１、２１１  ユーザ管理情報格納部
１１２  カタログ部品情報格納部
１１３  受信部
１１４、２１４  カタログ情報構成部
１１５  出力部
１１６  購入履歴情報取得部
１１７  購入履歴情報蓄積部
１２１  第一受付部
１２２  第一送信部
１２３  第一受信部
１２４  第一出力部
１３１  第二受付部
１３２  第二送信部
１３３  第二受信部
１３４  第二出力部
１４１  購入履歴情報格納部
１４２  購入履歴送信指示受付部
１４３  購入履歴情報送信部
２１６  閲覧商品情報取得部
２１７  閲覧商品情報蓄積部
２４１  閲覧商品情報格納部
２４２  閲覧商品送信指示受付部
２４３  閲覧商品情報送信部
１１４１、２１４１  カタログ部品情報選択手段
１１４２  カタログ情報構成手段
【図１】
2015118496.tif 000003
【図２】
2015118496.tif 000004
【図３】
2015118496.tif 000005
【図４】
2015118496.tif 000006
【図５】
2015118496.tif 000007
【図７】
2015118496.tif 000008
【図８】
2015118496.tif 000009
【図１０】
2015118496.tif 000010
【図１１】
2015118496.tif 000011
【図１２】
2015118496.tif 000012
【図１３】
2015118496.tif 000013
【図１４】
2015118496.tif 000014
【図１６】
2015118496.tif 000015
【図１７】
2015118496.tif 000016
【図６】
2015118496.tif 000017
【図９】
2015118496.tif 000018
【図１５】
2015118496.tif 000019